(57)【要約】  発光素子やプロジェクタからの発熱を効率よく外部に放出することが可能な優れた映像投射機能を有する照明装置を提供する。天井面に固定された保持具に吊り下げた状態で保持され、照明光を発する照明装置であって、筺体の内部に配置される前記照明光を生成するための照明光光源部と、前記筺体の内部空間に配置され、投射面に映像を投射するプロジェクタ部と、前記筺体の内部上方に配置されたファンとを備えており、前記筺体には、前記ファンより形成される空気流が、前記筺体の下部から吸入され、上方に向かって、前記照明光光源部付近と前記プロジェクタ部とを通過して、前記筺体の上部から排出されるような位置に形成された吸気口と排気口とが形成されている。
2017158789.tif 000002
【特許請求の範囲】
【請求項１】
天井面または壁面に固定された保持具に吊り下げた状態で保持され、照明光を発する照明装置であって、
筺体の内部に配置される前記照明光を生成するための照明光光源部と、
前記筺体の内部空間に配置され、投射面に映像を投射するプロジェクタ部と、
前記筺体の内部上方に配置されたファンと、を備えており、
前記筺体には、前記ファンより形成される空気流が、前記筺体の下部から吸入され、上方に向かって、前記照明光光源部付近と前記プロジェクタ部とを通過して、前記筺体の上部から排出されるような位置に形成された吸気口と排気口とが形成されている、照明装置。
【請求項２】
請求項１に記載の照明装置において、
前記筺体の内部には、組込み台が鉛直方向に配置されており、
前記組込み台には、前記プロジェクタ部が組み込まれると共に、その一部には、少なくとも前記照明光光源部が取り付けられている、照明装置。
【請求項３】
請求項２に記載の照明装置において、
前記プロジェクタ部の電源と、前記プロジェクタ部のためのプロジェクタ光源部の発熱を放熱するための放熱部とを、前記筺体内の鉛直方向に配置された前記組込み台によって分割された複数の空間のうち異なる空間に配置する、照明装置。
【請求項４】
請求項３に記載の照明装置において、
前記ファンは、前記複数の空間の上方に配置されており、
前記複数の空間のうち第１の空間には、前記プロジェクタ部の電源と、前記電源を冷却風を制御するための第１のダクトが配置されており、
前記複数の空間のうち第２の空間には、前記プロジェクタ部のためのプロジェクタ光源部の発熱を放熱するための放熱部と、前記放熱部の冷却風を制御するための第２のダクトが配置されている、照明装置。
【請求項５】
請求項３または４に記載の照明装置において、
前記プロジェクタ部の電源は、前記プロジェクタ部に電力を供給するとともに、前記照明光光源部に電力を供給する、照明装置。
【請求項６】
請求項１乃至５のいずれか一項に記載の照明装置において、
前記筺体の下面には、前記照明光光源部の光源からの照明光を拡散する拡散板が配置されており、
前記吸気口は、前記拡散板よりも上方の位置に設けられる、または前記筐体の側面の前記拡散板よりも上方の位置に設けられる、照明装置。
【請求項７】
請求項２乃至５のいずれか一項に記載の照明装置において、
前記吸気口は、前記筐体の側面における、前記組込み台に取り付けられた前記照明光の光源部よりも上方の位置に設けられる、照明装置。
【請求項８】
請求項１乃至５のいずれか一項に記載の照明装置において、
前記筺体の下面には、前記照明光光源部の光源からの照明光を拡散する拡散板が配置されており、
前記吸気口は、前記拡散板よりも上方の位置に配置される平面に設けられ、かつ前記照明光光源部が設置される平面よりも下方で、かつ前記照明光光源部の発光面よりも外周に配置される、照明装置。
【発明の詳細な説明】
【技術分野】
【０００１】
本発明は、照明装置に関する。
【背景技術】
【０００２】
天井や壁面に取り付けて、各種の機能を利用することができる通信機能モジュールをシーリングライトに取り付ける技術が、以下の特許文献１に開示されている。【０００３】
さらに、照明光と映像を合わせた空間演出を可能とする、画像投影装置付き照明装置が、以下の特許文献２に開示されている。
【先行技術文献】
【特許文献】
【０００４】
【特許文献１】特開２００３−１６８３１号公報
【特許文献２】特開２０１２−１８６１１８号公報
【発明の概要】
【発明が解決しようとする課題】
【０００５】
しかしながら、上述した従来技術には、プロジェクタはブロック図や簡易的な外形が開示されるのみであり、照明装置内におけるプロジェクタやＬＥＤ等の半導体発光素子を利用した照明用光源および、映像素子、電源、基板等の回路部品からの発熱を外部へ放出するための機能を考慮したものは開示されていない。【０００６】
一般に、映像投射機能を有する照明装置は、天井面に取り付けられて使用され、照明用光源からの照明光を、例えば、室内に配置されたテーブル等の表面上に照射すると共に、プロジェクタからの映像光を所望の位置に投写する。そのため、本体（または筺体、またはシェードとも言う）の内部では、照明用光源からの発熱と同時にプロジェクタからの発熱が予想される。特に、照明とプロジェクタとを長時間に亘って共用した場合には、それら複数の発熱源での発熱により内部の温度が上昇してしまい、ＬＥＤ等の発光素子の発光効率および寿命を低減し、または、映像素子や電源、基板等の回路部品の寿命を低減し、プロジェクタから投写される映像に劣化するなどの悪影響を及ぼすこととなる。しかしながら、上記の従来技術は、映像投射機能を有する照明装置における複数の発熱源からの放熱を効率的に外部に放出するための機能や構造についての考慮は、未だ不十分に払われてはいなかった。【０００７】
本発明の目的は、内部に収納する発光素子やプロジェクタなどの熱発生源をより好適に冷却する映像投射機能を有する照明装置を提供することにある。
【課題を解決するための手段】
【０００８】
本発明によれば、天井面に固定された保持具に吊り下げた状態で保持され、照明光を発する照明装置であって、筺体の内部に配置される前記照明光を生成するための照明光光源部と、前記筺体の内部空間に配置され、投射面に映像を投射するプロジェクタ部と、前記筺体の内部上方に配置されたファンとを備えており、前記筺体には、前記ファンより形成される空気流が、前記筺体の下部から吸入され、上方に向かって、前記照明光光源部付近と前記プロジェクタ部とを通過して、前記筺体の上部から排出されるような位置に形成された吸気口と排気口とが形成されている照明装置が提供される。
【発明の効果】
【０００９】
本発明によれば、内部に発光素子やプロジェクタを収納してなる映像投射機能を有する照明装置において、当該発光素子やプロジェクタからの発熱を効率よく外部に放出することが可能であり、複数の発熱源での発熱による悪影響を低減可能な実用的にも優れた照明装置が提供されるという優れた効果を発揮する。
【図面の簡単な説明】
【００１０】
【図１】本発明の一実施の形態になる映像投射機能を有する照明装置の外観構成を、その使用環境と共に示した斜視図である。
【図２】上記映像投射機能付き照明装置の外観構成を示す側面図と下面図である。
【図３】上記照明装置の内部における詳細な構成を示す断面図である。
【図４】上記照明装置のケースや照明カバーを取り除いた状態の照明装置の全体斜視図とその展開図である。
【図５】上記照明装置を構成するＰＪエンジン部の左側面図、上面図、右側面図、および、正面図である。
【図６】上記ＰＪエンジン部を互いに異なる方向からに見た斜視図である。
【図７】上記照明装置の組み立て構造によるケースの内部空間を示す断面図である。
【図８】上記照明装置のケースの内部における放熱フィンとの関係におけるダクトの効果を説明するための対比図である。
【図９】上記照明装置のケースの内部における電源部との関係におけるダクトの効果を説明するための対比図である。
【図１０】上記照明装置のケースの内部におけるその他の構成との関係におけるダクトの効果を説明するための対比図である。
【図１１】本発明の他の実施例になる映像投射機能付き照明装置の外観構成を示す側面図と下面図である。
【発明を実施するための形態】
【００１１】
以下、本発明の実施の形態について、添付の図面を参照しながら、詳細に説明する。
【００１２】
まず、添付の図１は、本発明の一実施の形態である映像投射機能付き照明装置の外観構成を示しており、特に、図には、天井面から吊るすような形態で取り付けられる、いわゆる、ペンダント型と呼ばれる照明装置に映像投射機能を搭載した映像投射機能付き照明装置が示されている。しかしながら、本発明は、これにのみ限定されることなく、その他にも、後にも述べるように、天井面に取り付けられる、いわゆる、シーリング型と呼ばれる照明装置に適用することも可能であろう。また、壁面に設置する照明装置にも適用することも可能である。
【００１３】
この図からも明らかなように、映像投射機能付き照明装置１０は、例えば、キッチン、ダイニングルーム、または、居間、オフィス等の空間を構成する壁面、または、天井面５０などに取り付けて使用される。より具体的には、図にも示すように、室内に設置されたテーブルや机６０の上方において、所定の高さ、または、天井面に一体に設置される。この映像投射機能付き照明装置１０は、照明光をテーブルや机の上面に照射する照明機能（図の照明光領域２を参照）と、当該テーブルまたは机６０の上面（表示面または投射面）６１に各種の映像を投射して表示する映像投射機能（図の映像投射領域１を参照）と両方有する照明装置である。なお、図１における符号４０は、特に、ペンダント型の照明装置１０を天井面から所望の位置に吊り下げた状態で保持すると共に、必要な電力を供給するための電源ケーブルを示している。
【００１４】
映像投射機能で映像を投射したい水平面テーブルまたは机などは、映像投射機能を用いない状態で使用する場合など、照明機能で照明する対象になる可能性が高い。よって、前記映像投射機能で映像を投射する領域と前記照明機能の照明光の照明範囲は少なくとも一部が重畳することが望ましい。
【００１５】
また、映像投射機能付き照明装置は、制御部を搭載することにより、照明機能で照明光と映像投射機能で投射する映像とはそれぞれＯＮ／ＯＦＦできるように構成するのが望ましい。なお、本例では、利用者は、壁面に取り付けられた操作パネル７０を介して、かかる操作を行う。
【００１６】
図２（Ａ）および（Ｂ）は、上記図１に示した映像投射機能付き照明装置１０の外観構成である側面図と下面図を示す。これらの図からも明らかなように、照明装置１０は、以下にも述べる照明用ＬＥＤや小型プロジェクタ（以下、「ＰＪエンジン部」と言う）を、外周を覆う筐体１００の内部に収納している。なお、この筐体１００は、例えば、樹脂の成型加工等により成形された外形略円筒状のケース１１０と、当該ケースの上方に取り付けられた外形略円筒または円錐状のケースキャップ１２０と、上記ケースの下面開口部を覆うように取り付けられた、照明光の拡散板を含んだ照明カバー１３０とから構成されている。照明カバー１３０のうち筐体１００の下面を構成する面を、筐体１００内から発光する照明光を拡散する拡散板として構成してもよい。また、照明カバー１３０全体を、筐体１００内から発光する照明光を拡散する拡散板として構成してもよい。
【００１７】
そして、上記ケース１１０とケースキャップ１２０との間には、排気口１４０が形成されており、当該排気口には、例えば、図示のように、複数のガイド板またはルーバが設けられてもよい。なお、これらのガイド板またはルーバは、内部が見えないように傾斜して配置してもよく、特に、その際には、以下にも述べるファンユニット６００のファンの回転方向に沿って傾斜させて取り付けることで圧力損失増加を防ぐことが望めるであろう。
【００１８】
また、照明カバー１３０は、図２（Ｂ）に示すように、その略中央部に、上記ＰＪエンジン部からの投射光を通過させるための開口部１３１が形成されており、また、その外縁部には、柵状の吸気口１３２が形成されている。即ち、本例では、上記ケース１１０と照明カバー１３０との間の段部に吸気口１３２が設けられている。これより、例えば、室内の空気が、その下方から照明装置１０の内部に取り込まれ、内部の発熱体からの熱を奪った（冷却した）後、照明装置１０の上方から外部に向けて排出される。また、上記ケース１１０と照明カバー１３０は、ここでは図示しないフック機構などにより、上記のケースキャップ１２０に対して容易に着脱可能に構成されている。
【００１９】
続いて、図３には、上記照明装置１０の断面を示すと共に、図４（Ａ）および（Ｂ）には、上記ケース１１０や照明カバー１３０を取り除いた状態の照明装置１０の全体斜視図とその展開図を示す。
【００２０】
これらの図からも明らかなように、ケース１１０の内部には、主に、組込み台を構成するシャーシ２００が鉛直方向に配置されており、上記照明装置１０の主要な構造物や部品は、当該シャーシ２００へ固定される構成となっている。即ち、当該シャーシ２００の一方の面には、その詳細は後にも述べるが、ＰＪエンジン部３００が搭載されると共に、その下端部には、環状に形成された放熱板４１０の表面に、やはり環状に形成されたＬＥＤ基板４２０を重ね、かつ、その基板表面に複数の照明用ＬＥＤを配列した、いわゆる、照明用ＬＥＤ４００が、水平に取り付けられている。当該照明用ＬＥＤの発光素子が本照明装置の照明光光源である。
【００２１】
また、シャーシ２００の表面には、複数本（本例では、４本）のロッド２１０が植立されており、その上端部には、制御基板２４０が取り付けられており、さらには、一体に形成された一対の略「コ」字状の突起部２３０介して、電源部５００が取り付けられている。
【００２２】
さらに、上記シャーシ２００の上端部には、例えば、円盤形状の金属板からなるファンブラケット６１０が水平に取り付けられており、その上面には、例えば、軸流ファンや電動モータからなる送風手段であるファンユニット６００が取り付けられている。構成によっては、ファンはファンブラケット６１０下面に取り付けられてもよい。なお、上記円盤形状のファンブラケット６１０からは複数本のロッド状の支持部材６１１が上方に延びており、上記ケースキャップ１２０の一部に固定されている。即ち、上記の構成によれば、照明装置１０の主要な構造物は、上述したシャーシ２００を介して、上記ケースキャップ１２０と一体に組み立てられている。なお、このケースキャップ１２０の下端部には、排気カバー１２１が取り付けられており、これにより、ファンユニット６００からの空気流を、ケース１１０の上部外周に形成した排気口１４０へ向けて導く。また、図中の符号７００は、上記照明装置１０の内部に流れる冷却空気流の流れを規定するための部材である、いわゆる、ダクトを示している。
【００２３】
ここで、図５および図６を参照しながら、上記ＰＪエンジン部３００のより詳細な構造について説明する。なお、図５（Ａ）〜（Ｄ）は、ＰＪエンジン部の左側面図、上面図、右側面図、および、正面図であり、図６（Ａ）および（Ｂ）は、ＰＪエンジン部を互いに異なる方向からに見た斜視図である。
【００２４】
これらの図において、このＰＪエンジン部３００は、投射レンズなどを含む光学部３１０と共に、その発熱を理由に冷却が必要となる、光源（例えが、ハロゲンランプやＬＥＤ等）や映像素子（例えば、ＤＭＤ（Ｄｉｇｉｔａｌ  Ｍｉｃｒｏｍｉｒｒｏｒ  Ｄｅｖｉｃｅ））を含む部品（以下、総称して「発熱部３２０」とも言う）を備えている。なお、本例では、当該プロジェクタエンジン部用の光源として、青色ＬＥＤ（ＬＥＤ−Ｂ）、緑色ＬＥＤ（ＬＥＤ−Ｇ）、赤色ＬＥＤ（ＬＥＤ−Ｒ）、そして、映像素子としてＤＭＤを備えた構成を示している。そして、当該発熱部３２０には、放熱のための複数の放熱フィン３３０−１、３３０−２、３３０−３が取り付けられると共に、さらには、特に、発熱量の高い発熱部（例えば、ＬＥＤ−Ｇ）や特性上冷却要求が厳しい発熱部（例えば、ＬＥＤ−Ｒ）に対しては、その熱を放熱フィンへ熱輸送して冷却効率を向上するための受熱プレート３４０やヒートパイプ３５０を設けている。
【００２５】
ここで、再び、上記の図３および図４に戻り、上記のＰＪエンジン部３００も、また同様に、上述した鉛直方向に配置されたシャーシ２００に搭載されている。なお、本発明では、上述した組み立て構造により、装置の組立性と各部品の取り付け後の相対的位置精度の向上を図っている。
【００２６】
また、上述した組み立て構造によれば、図７にも示すように、ケース１１０の内部空間は、上記のシャーシ２００によって２つの領域、第１領域と第２領域に分割される。シャーシ２００は筐体内部の第１領域と第２領域とで下方から上方に向かう冷却風の流れを整える機能を有しており、当該２つの領域間で互いに熱的な影響を及ぼし難くしている。
【００２７】
また、上述したヒートパイプ３５０や放熱フィン３３０−１、３３０−２、３３０−３などを利用することにより、効率的な冷却を可能としている。例えば、第２領域内に配置された発熱量（発熱密度）の高い部品（例えば、ＰＪエンジン部３００のＬＥＤ光源等）は、ヒートパイプ３５０により、その発熱の一部を、より広い放熱面積が確保することが可能な第１領域内に配置された放熱フィン３３０−１に熱輸送することにより、効率的な冷却を図っている。即ち、放熱フィン３３０−１、３３０−２、３３０−３を、上記シャーシ２００により分割された第１領域と第２領域において最適に分散させて配置することにより、効率的な冷却が可能となる。例えば、第１領域と第２領域がほぼ等しい断面積を有する場合、各々の領域内に配置する発熱量をほぼ等しくする。
【００２８】
さらに照明カバー１３０の吸気口１３２の、各領域に対向する開口量をほぼ等しくすることで効率的な冷却能力を得ることができる。
【００２９】
また、特に、ファンによる吸気側において、上述したダクト７００をシャーシ２００に取り付けるファンと放熱部との間に設けることによれば、ケース１１０の内部を流れる空気が放熱フィン３３０−１、に効率よく流れるように制御することが可能となる。なお、上記の例でも、電源部５００に対しても、同様に、ダクト７００を設けることにより、十分な冷却風を確保している。
【００３０】
また、ダクト７００以外の部分では、全体的に、ファンユニット６００による換気対流が発生しているため、発熱量の低い部品や放熱効率の高い部品なども、上記ケース１１０の内部空間におけるレイアウトの最適化により、十分に冷却されることが可能であろう。なお、排気口１４０は、ケース１１０の上部において、ケースキャップ１２０との間に形成されている。
【００３１】
続いて、上述したダクト７００の効果について、以下に図面を参照しながら説明する。まず、図８（Ａ）および（Ｂ）には、特に、放熱フィン３３０−１との関係における当該ダクト７００の効果について、ダクトを設けない場合（図８（Ａ）「ダクト無し」）と、ダクトを設ける場合（図８（Ｂ）「ダクト有り」）とを対比して表示している。また、これらの図において、太い矢印は、流速の速い空気の流れを、破線の矢印は、流速の遅い空気の流れを、それぞれ、示している。
【００３２】
上述した本発明になる映像投射機能付き照明装置１０の内部構成によれば、これらの図の比較からも明らかなように、ケース１１０内部の上方に取り付けたファンユニット６００によれば、ケース１１０下部の吸気口１３２から吸入されてその内部空間を通過した後、上部の排気口１４０から排出されることから、装置内部において冷却用の外部空気の流れを効率よく形成することができる。
【００３３】
しかしながら、図８（Ａ）からも明らかなように、ダクトを設けない場合には、図中の符号Ａで示す冷却風は、圧力損失の低い箇所を流れようとするため、圧力損失の高い放熱フィン３３０−１を迂回して流れ、図中の符号Ｂで示すように、当該放熱フィン３３０−１内部の圧力損失の高い箇所ではフィン間の流速が遅くなってしまい、符号Ａで示す通り冷却の必要ない箇所の流速が速くなってしまう。
【００３４】
これに対して、ダクト７００を取り付けた場合には、図８（Ｂ）からも明らかなように、当該ダクトにより空気流の流路を制限してその方向を制御することにより、図中に符号Ａ’で示すように、特に、高い冷却効果が求められる放熱フィン３３０−１の内部において、流速が速い空気流が得られる。
【００３５】
次に、上述したダクト７００の効果について、図９（Ａ）および（Ｂ）を参照しながら、特に、上述した電源部５００との関係における当該ダクト７００の効果について説明する。なお、ここでも、ダクトを設けない場合（図９（Ａ）「ダクト無し」）と、ダクトを設ける場合（図９（Ｂ）「ダクト有り」）とを対比して表示し、また、これらの図においても、太い矢印は、流速の速い空気の流れを、破線の矢印は、流速の遅い空気の流れを、それぞれ、示している。
【００３６】
この場合においても、ダクトを設けない場合（図９（Ａ）参照）には、図中の符号Ａで示す冷却風は、圧力損失の低い箇所を流れようとするため圧力損失の高い電源部５００を迂回して流れ、図中の符号Ｂで示すように、電源部５００内部の流速が遅くなってしまい、符号Ａで示すように冷却の必要ない箇所の流速が速くなってしまう。それに対して、ダクト７００を取り付けた場合には（図９（Ｂ））、当該電源部５００でも、流速が速い空気流が得られることが分かる。
【００３７】
さらに、上述したダクト７００の、上記照明装置１０の内部構成との関係における全体の効果について、図１０（Ａ）および（Ｂ）を参照しながら説明する。なお、ここでも、上記と同様、ダクトを設けない場合（図１０（Ａ）「ダクト無し」）と、ダクトを設ける場合（図１０（Ｂ）「ダクト有り」）とを対比して表示すると共に、これらの図においても、太い矢印は、流速の速い空気の流れを、破線の矢印は、流速の遅い空気の流れを、それぞれ、示している。
【００３８】
この場合においても、上記と同様に、ダクトを設けない場合（図１０（Ａ）参照）には、図中の符号Ａで示す冷却風は、圧力損失の低い箇所を流れようとするため、圧力損失の高い箇所を迂回して流れ、図中の符号Ｂで示すように、空気流の一部の流速が遅くなってしまう。それに対して、ダクト７００を取り付けた場合には（図１０（Ｂ））、内部構成の全体に亘って、流速が速い空気流が得られることが分かる。
【００３９】
以上に詳述したように、本発明になる映像投射機能付き照明装置１０の組み立て構造によれば、ファンユニット６００はケース１１０内部の上方に取り付けられ、その働きによって、ケース１１０下部の吸気口１３２から吸入された空気は、当該ケース１１０内部において上記ファンユニット６００の下方に配置されている発熱源を含む部品である発熱部３２０（例えば、ＰＪエンジン部３００や電源部５００や制御基板２４０や照明用ＬＥＤ４００等々）に対して冷却効果を発揮することが可能となる。
【００４０】
なお、ファンユニット６００は、上記ケース１１０内の上部に配置することから、比較的大型で高風量なファンユニットを採用することが可能となり、そのことから、発熱源を含む部品に対しても十分な冷却効果を発揮することが可能となる。その際、必要な流速が得られればよく、場合によっては、ファンの回転数を下げることによって装置の騒音を低減することも可能となる。さらに、排気口１４０を筐体の側面に設けることにより、上部に設けられる照明装置の吊下げ固定部に干渉することなく、また天井側からの埃や水滴の侵入のよる装置の信頼性低下を防止することができる。
【００４１】
また、照明カバー１３０の周囲に設けられた吸気口１３２は、照明カバー１３０の下面の拡散面より上部でかつＬＥＤ基板４２０に実装されているＬＥＤ４００のうち最外周に配置されたＬＥＤよりも外側に形成することで、照明器具を下から見上げた際にＬＥＤ光源を直接見ることはなくなり、使用者の眼の負担を大幅に軽減する効果もある。
【００４２】
また、上述した実施例では、上記ケース１１０と照明カバー１３０とは、ケースキャップ１２０から容易に取り外すことができる構造となっており、そして、例えば、図４からも明らかなように、ケース１１０の内部では、鉛直方向に配置されたシャーシ２００に対して、発熱源を含む部品であるＰＪエンジン部３００やそのための放熱フィン３３０−１、３３０−２、３３０−３、さらには、電源部５００や制御基板２４０や照明用ＬＥＤ４００等を含む各種の部品が取り付けられる構造となっている。そのため、上記ケース１１０と照明カバー１３０を取り外すことにより、その内部構造の全体が露出されることから、装置の組み立てが容易となり、さらには、修理時においても部品の交換等が簡単に行える等のメンテナンス性の向上にも寄与することとなる。
【００４３】
続いて、本発明の他の実施例になる映像投射機能付き照明装置について、図１１（Ａ）および（Ｂ）を参照しながら説明する。なお、図１１（Ａ）は、照明装置の外観構成を示す側面図であり、図１１（Ｂ）は、その鉛直方向の全体断面図である。
【００４４】
この他の実施例になる照明装置では、上述した照明装置１０と比較して、その吸気口１３２’が、照明カバー１３０の一部ではなく、ケース１１０の側面（外周面）の下部に形成されている点で異なっている。なお、この吸気口１３２’は、特に、図１１（Ｂ）から明らかにように、環状の放熱板４１０の表面に環状のＬＥＤ基板４２０を重ねて複数の照明用ＬＥＤを配列して構成され、かつ、水平に配置された照明用ＬＥＤ４００からの照明光の漏洩を考慮して、その鉛直方向の位置よりも、僅かに高い位置に形成されている。但し、遮光壁を設ければ低い位置に形成しても問題無い。
【００４５】
なお、かかる内部構成におけるケース１１０内部での外部空気の流れも、上記と同様に、流速の速い空気流を示す太い矢印で示されており、十分な冷却効果を得るための、流速が速く、かつ、流量の大きな空気流が得られていることが分かる。なお、この吸気口１３２’は、より具体的には、複数のルーバの間の縦長の開口部（隙間）により形成される。
【００４６】
上述した他の実施例になる構成、換言すれば、その吸気口１３２’の形成された位置によれば、吸気の際に懸念される、吸気口へ空気中のゴミが付着して落下するという事態を防止することができる。また、照明用ＬＥＤ４００に対しては、吸気口１３２’の形成位置を、当該照明用ＬＥＤ４００に近接して設定することにより、十分な冷却を実現することは可能であり、あるいは、必要に応じて、照明用ＬＥＤ４００を構成する放熱板４１０の表面に、ここでは図示しないが、例えば、放熱フィンを取り付けてもよい。
【００４７】
さらには、上記吸気口１３２’を照明用ＬＥＤ４００に近接して配置した場合、構成するルーバ間の開口部（隙間）からの照明光の漏洩が考えられることから、その場合には、照明用ＬＥＤ４００との位置を調整し（例えば、上方に移動する）、または、ここでは図示しないが、例えば、遮光壁を設ける等の対策が可能であろう。
【００４８】
以上、本発明の種々の実施例になる映像投射機能付き照明装置について種々述べたが、しかしながら、本発明は、上述した実施例のみに限定されるものではなく、様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００４９】
１０…照明装置、１１０…ケース、１２０…ケースキャップ、１３０…照明カバー、１４０…排気口、２００…シャーシ、３００…ＰＪエンジン部、３３０…放熱フィン、３４０…受熱プレート、３５０…ヒートパイプ、４００…照明用ＬＥＤ、６００…ファンユニット、７００…ダクト。
【図１】
2017158789.tif 000003
【図２】
2017158789.tif 000004
【図３】
2017158789.tif 000005
【図４】
2017158789.tif 000006
【図５】
2017158789.tif 000007
【図６】
2017158789.tif 000008
【図７】
2017158789.tif 000009
【図８】
2017158789.tif 000010
【図９】
2017158789.tif 000011
【図１０】
2017158789.tif 000012
【図１１】
2017158789.tif 000013
【国際調査報告】
2017158789.tif 000014
2017158789.tif 000015
2017158789.tif 000016
2017158789.tif 000017